(57)【要約】【課題】外部の物体との接触によっても外れにくく、かつ、狭い場所でも装着可能な通水管接続具を提供する。【解決手段】並設される複数の給水管１０５と各給水管１０５に接続される通水管１０６のそれぞれに形成されたフランジ部を対向接触させた接続部分４０１に装着される通水管接続具１０１において、開放端を有し、該開放端から前記接続部分４０１に嵌入することで、前記対向接触している給水管及び通水管のフランジ部を着脱自在に挟持するクリップ１０２と、前記クリップ１０２を外方から覆うカバー１０３であって、先端部が平面視して前記クリップ１０２の開放端を覆うように形成されたカバー１０３とを備え、前記通水管接続具１０１を前記接続部分４０１へ装着する際、前記カバー１０３の先端部が、隣設する接続部分に装着された他のカバーの側部と平面視して重合する。【選択図】図２
2008151254.tif 000002
【特許請求の範囲】
【請求項１】
並設される複数の給水管と各給水管に接続される通水管のそれぞれに形成されたフランジ部を対向接触させた接続部分に装着される通水管接続具において、
開放端を有し、該開放端から前記接続部分を嵌入することで、前記対向接触している給水管及び通水管のフランジ部を着脱自在に挟持するクリップと、
前記クリップを外方から覆うカバーであって、平面視で前記クリップの開放端を覆う第一の遮蔽部が形成されたカバーとを備え、
前記通水管接続具を前記接続部分へ装着する際、前記カバーの第一の遮蔽部が、隣設する接続部分に装着された他のカバーの側部と平面視で重合することを特徴とする通水管接続具。
【請求項２】
前記カバーの第一の遮蔽部の側面には、開口部又は切欠部が形成され、かつ前記カバーの側部には凸部が形成され、
前記通水管接続具を前記接続部分へ装着する際に、前記開口部又は切欠部内を前記他のカバーの凸部が通過することを特徴とする請求項１記載の通水管接続具。
【請求項３】
前記カバーの凸部の幅と、前記開口部又は切欠部の幅が、略同一となるよう形成されたことを特徴とする請求項２記載の通水管接続具。
【請求項４】
前記カバーの開口部又は切欠部の少なくとも一部を覆い、前記通水管接続具を前記接続部分へ装着する際に、前記他のカバーの側部と接触し、弾性変形する第二の遮蔽部が形成されたことを特徴とする請求項２記載の通水管接続具。
【請求項５】
前記通水管接続具を前記接続部分へ装着する際に、前記給水管又は通水管と接触する前記カバーの内周面の先端部に、前記カバーの先端側へ傾斜した傾斜部を設けたことを特徴とする請求項１記載の通水管接続具。
【発明の詳細な説明】
【技術分野】
【０００１】
本発明は、通水管の接続部分に装着する通水管接続具に関する。
【背景技術】
【０００２】
従来、給水管と通水管とのフランジ同士を対向接触させ、その接続部分を金属製のクリップで弾性的に挟持する通水管接続具が知られている。特に、特許文献１には、クリップの外周を開閉可能なカバーで覆い、カバーの先端に、カバーが閉じた状態で係合する連結手段を備えた通水管接続具が開示されている。これにより、クリップが正確に装着されたか否かを確認することができるようになっている。また、この通水管接続具は、カバーが、外部の物体との接触からクリップを保護するので、抜け止めの機能も兼ね備えている。
【０００３】
【特許文献１】特開２００６−８３９０２号公報
【発明の開示】
【発明が解決しようとする課題】
【０００４】
しかしながら上記の通水管接続具は、カバーの腕部に開口部を備えており、装着されたときには、その開口部からクリップの開放端が突出していた。そのため、突出したクリップの開放端に、外部の物体が接触して、通水管接続具が外れてしまうというおそれもあった。
【０００５】
この問題の解決策として、クリップの開放端が突出しないように、カバーで覆う方法が考えられる。しかし、この場合は、通水管接続具が大型化してしまい、狭い場所での取付けが不可能となってしまう。例えば、ヘッダーのように複数の給水管が近接して並設されている通水器具を利用する場合は、接続の対象としていない隣の給水管や、先に装着された隣の通水管接続具と干渉し、通水管接続具を装着できなくなる。
【０００６】
一方、並設される給水管同士の間隔を大きくすれば、通水管接続具の取付けはできるかもしれないが、ヘッダー等の給水装置自体が大型化してしまい、狭い場所に設置できなくなってしまう等、新たな問題が生じてしまう。
【０００７】
そこで、本発明の目的は、外部の物体との接触によっても外れにくく、かつ、狭い場所でも装着可能な通水管接続具を提供することである。
【課題を解決するための手段】
【０００８】
請求項１に記載した発明に従う通水管接続具は、並設される複数の給水管と各給水管に接続される通水管のそれぞれに形成されたフランジ部を対向接触させた接続部分に装着される通水管接続具において、開放端を有し、該開放端から前記接続部分を嵌入することで、前記対向接触している給水管及び通水管のフランジ部を着脱自在に挟持するクリップと、前記クリップを外方から覆うカバーであって、平面視で前記クリップの開放端を覆う第一の遮蔽部が形成されたカバーとを備え、前記通水管接続具を前記接続部分へ装着する際、前記カバーの先端部が、隣設する接続部分に装着された他のカバーの側部と平面視で重合する。
【０００９】
これにより、まず、装着状態において、カバーの第一の遮蔽部が、その外縁で外部の物体との接触からクリップの開放端を保護するので、通水管接続具は、外れにくくなる。また、通水管接続具を装着する際に、カバーの第一の遮蔽部が、隣設する接続部分に装着された他のカバーの側部と平面視して重合するので、先に装着された隣の通水管接続具と干渉することなく、通水管接続具を接続部分に装着できるようになる。
【００１０】
請求項２に記載した発明に従う通水管接続具は、前記カバーの第一の遮蔽部の側面には、開口部又は切欠部が形成され、かつ前記カバーの側部には凸部が形成され、前記通水管接続具を前記接続部分へ装着する際に、前記開口部又は切欠部内を前記他のカバーの凸部が通過する。
【００１１】
装着しようとする通水管接続具のカバーの開口部又は切欠部内を、隣接する接続部分に先に装着されている通水管接続具のカバー側部の凸部が通過することにより、装着しようとする通水管接続具のカバーの遮蔽部と、先に装着された隣の通水管接続具の凸部との干渉を避けることができる。したがって、装着しようとする通水管接続具は、先に装着された両隣の通水管接続具の間をすり抜けて、接続部分に装着できるようになる。
【００１２】
請求項３に記載した発明に従う通水管接続具は、前記カバーの凸部の幅と、前記開口部又は切欠部の幅が、略同一となるよう形成されたことを特徴とする。
【００１３】
これにより、装着される通水管接続具のカバーの開口部又は切欠部と、隣接する接続部分に先に装着されている通水管接続具のカバー側部の凸部が噛み合い、装着される通水管接続具は先に装着されている通水管接続具のカバー側部の凸部によって移動方向が一部規制され、ガイドされるよう移動して装着される。すなわち、カバーの開口部又は切欠部と、カバー側部の凸部を、通水管接続具が接続部分に対し傾斜した状態で装着されるような誤装着を防止するものとして利用することが可能となる。
【００１４】
請求項４に記載した発明に従う通水管接続具は、前記カバーの開口部又は切欠部の少なくとも一部を覆い、前記通水管接続具を前記接続部分へ装着する際に、前記他のカバーの側部と接触し、弾性変形する第二の遮蔽部が形成されている。
【００１５】
これにより、カバーの開口部又は切欠部が第二の遮蔽部で覆われることになり、クリップの開放端が、側面からも覆われる。その結果、通水管接続具は、より強固に外部の物体との接触から保護され、外れにくくなるとともに、第二の遮蔽部は、弾性変形するので接続部分への装着時には、隣接する通水管接続具と接触しても、支障なく装着できる。
【００１６】
請求項５に記載した発明に従う通水管接続具は、前記通水管接続具を前記接続部分へ装着する際に、前記給水管又は通水管と接触する前記カバーの内周面の先端部に、前記カバーの先端側へ傾斜した傾斜部が設けられている。
【００１７】
通水管接続具の装着の際に給水管又は通水管と接触するカバーの内周面の先端部に、カバーの先端側へ傾斜した傾斜部を設けることにより、カバーの開き幅を最小限に抑えることができる。これにより、狭い間隔で並設されている給水管にも、通水管接続具を装着できるようになる。
【発明の効果】
【００１８】
本発明により、外部の物体との接触によっても外れにくく、かつ、狭い場所でも装着可能な通水管接続具を提供することができる。
【発明を実施するための最良の形態】
【００１９】
以下、本発明の一実施形態に係る通水管接続具について、図面を参照して説明する。
【００２０】
図１は、本実施形態に係る通水管接続具１０１及び通水管接続具１０１により挟持される給水管１０５と通水管１０６との接続部分を示す斜視図である。
【００２１】
ヘッダー１０４には、所定の間隔を隔てて、複数の給水管１０５（１０５ａ、１０５ｂ、１０５ｃ）が、並設されている。それぞれの給水管１０５に対して、一の通水管１０６（１０６ａ、１０６ｂ、１０６ｃ）が接続される。その接続部分、すなわち、給水管フランジ１０７と通水管フランジ１０８とを対向接触させた部分には、通水管接続具１０１が装着される。
【００２２】
通水管接続具１０１は、弾性を有する金属により一体的に形成されたクリップ１０２を有している。クリップ１０２は、対向接触させた給水管フランジ１０７と通水管フランジ１０８とが離れないように、それらを側面から挟持する。これにより、通水管１０６は、給水管１０５から外れることなく、しっかりと固定される。また、通水管接続具１０１は、着脱可能である。通水管接続具１０１を取り外すことで、通水管１０６も、給水管１０５から自由に取り外すことができる。
【００２３】
また、クリップ１０２の周りは、カバー１０３により覆われている。後述するが、本実施形態に係る通水管接続具１０１は、接続部分に装着された状態（以下、「装着状態」）で、クリップ１０２の先端がカバー１０３から突出しないように、カバー１０３が形成されている。そのため、装着状態のクリップ１０２は、外部の物体との接触から保護され、外れにくくなっている。
【００２４】
図２は、本実施形態に係る通水管接続具１０１の斜視図である。また、図３は、本実施形態に係る通水管接続具１０１の平面図である。以下、図２、図３を参照して、本実施形態に係る通水管接続具１０１の構造を説明する。
【００２５】
通水管接続具１０１は、上述したように、クリップ１０２が、カバー１０３によって覆われるように形成されている。クリップ１０２は、２つの腕部２０１と、腕支持部２０２とを備える。
【００２６】
腕支持部２０２は、矩形の板状の部材により構成されている。腕部２０１は、開放端２０３と挟持部２０４とを有する。挟持部２０４は、断面がコの字型で、フランジ１０７、１０８と同程度の曲率を持って湾曲している。そして、腕部２０１全体が、腕支持部２０２に対して、弾性的に動作することにより、開放端２０３から挟持部２０４間にフランジ１０７、１０８の接続部分を嵌入させて上下から挟み込むとともに、側面からも包み込むようになっていて、両フランジが離れないように固定する。尚、開放端２０３は、フランジ１０７、１０８の接続部分を嵌入させやすいように、平面視において外側へ開いた構造になっている。
【００２７】
一方、カバー１０３は、２つの腕カバー部２０５と、カバー支持部２０６とを備える。２つの腕カバー部２０５は、カバー支持部２０６の両端を軸として、回動可能となっており、係合部２０７で係合して連結することにより、カバーフレーム部２０９の内周面２０８が給水管１０５又は通水管１０６と略同径の円を作るよう構成されている。また、カバー１０３は、それぞれの腕カバー部２０５の先端に、係合部２０７を備えており、クリップ１０２が、接続部分に正確に装着されたときにだけ、係合できるよう構成されている。従って、カバー１０３が正しく係合できたか否かにより、クリップ１０２が正しく装着されたか否かを知ることができる。さらに、腕カバー部２０５は、カバーフレーム部２０９と、カバーフレーム部２０９の間に設けられ、挟持部２０４を保護する主要部２１０と、カバーフレーム部２０９の先端に設けられた先端カバー部２１１とを備える。
【００２８】
主要部２１０は、挟持部２０４を外側から覆うように、挟持部２０４に沿って湾曲している。主要部２１０は、平面視において、カバーフレーム部２０９よりも外側へ突出している。つまり、側面視では、カバーフレーム部２０９と主要部２１０とは、外側への張り出し量が異なるので、カバーフレーム部２０９と主要部２１０との間にガイド部２１２が形成されている。
【００２９】
２つの先端カバー部２１１の側面には、切欠部２１３が形成されている。先端カバー部２１１は、外方向に湾曲しているクリップ１０２の開放端が、装着状態において、平面視でカバー１０３から突出しないよう覆っている。これにより、装着状態のクリップ１０２の開放端２０３は、先端カバー部２１１の外縁で外部の物体との接触から保護され、外れにくくなっている。また、図２における切欠部２１３の鉛直方向の幅は、主要部２１０の鉛直方向幅と略同一となるよう形成されている。
【００３０】
一方、先端カバー部２１１が形成されたことにより、その分、通水管接続具１０１を開いたときの幅方向のサイズが大きくなってしまうが、上述した主要部２１０と切欠部２１３とを利用することで、先に装着された隣の通水管接続具１０１（以下、「隣接接続具」）と干渉することなく、装着を可能にしている。詳細は、以下で述べる。
【００３１】
また、両腕カバー部２０５は、クリップ１０２の開放端２０３を抱き込むように、クリップ１０２の開放端２０３のさらに外側で連結される。従って、通水管接続具１０１を装着するときは、カバー１０３をクリップ１０２よりも大きな幅で開く必要がある。
【００３２】
そのため、通水管接続具１０１を取付ける際に、給水管１０５又は通水管１０６と当接する内周面２０８の先端部には、角を切り取ったような形状の傾斜部２０８ａが設けられている。傾斜部２０８ａを設けることにより、通水管接続具１０１を装着する際に、カバー１０３の開き幅を最小限に抑えることができるようになる。傾斜部２０８ａの作用については、図４を参照して説明する。
【００３３】
図４は、本実施形態に係る通水管接続具１０１のカバー１０３に設けられた傾斜部２０８ａの作用を示す図である。同図（ａ）は、傾斜部２０８ａを設けなかった場合のカバー１０３の開き幅４０２ａを示す比較例である。同図（ｂ）は、傾斜部２０８ａを設けた場合（本実施形態に係る通水管接続具１０１の場合）のカバー１０３の開き幅４０２ｂを示している。
【００３４】
両図を比較してわかるとおり、同図（ａ）では、カバー１０３の先端の内側が、接続部分４０１に、エッジで接している。これに対して、同図（ｂ）では、カバー１０３の先端の内側が、接続部分４０１に、傾斜部２０８ａにより形成された面で接している。従って、傾斜部２０８ａありの開き幅４０２ｂは、傾斜部２０８ａなしの開き幅４０２ａよりも狭くなっている。換言すれば、開き幅４０２が小さくなるように、両腕カバー部２０５の内周面２０８先端角が切り取られ、傾斜部２０８ａが設けられている。これにより、カバー１０３の開き幅４０２を最小限に抑えることができ、より狭い間隔で給水管１０５が並設されているヘッダー１０４を用いた場合にも、通水管接続具１０１を装着できるようになる。尚、傾斜部２０８ａは、図４（ｂ）で示した形状に限定されるものではなく、開き幅４０２がより小さくなるように、その通水管接続具１０１の形状に合わせて自由に決めることができる。
【００３５】
以上のように構成される通水管接続具１０１が、隣接接続具との干渉を避けながら、接続部分４０１に装着される原理を説明する。
【００３６】
図５は、本実施形態に係る通水管接続具１０１により挟持される接続部分４０１の断面図である。
【００３７】
同図左側の接続部分４０１ａには、通水管接続具１０１ａが接続されていて、同図右側の接続部分４０１ｃには、通水管接続具１０１ｃが接続されている。この状態で、同図中央の接続部分４０１ｂに、通水管接続具１０１ｂを装着する場合を考える。すなわち、通水管接続具１０１ａ及び通水管接続具１０１ｃが、前述の隣接接続具となる。以下、これらを、それぞれ隣接接続具１０１ａ及び隣接接続具１０１ｃと呼ぶこととする。これに対して、これから装着しようとする通水管接続具１０１ｂを、以下、装着対象接続具１０１ｂと呼ぶこととする。尚、隣接接続具１０１ａ、隣接接続具１０１ｃ及び装着対象接続具１０１ｂは、全て、図２で説明した通水管接続具１０１である。
【００３８】
まず、装着状態にある隣接接続具１０１ａを見るとわかるように、クリップ１０２ａの開放端２０３ａは、外側に張り出した先端カバー部２１１ａが設けられたことにより、カバー１０３ａの外側に突出することなく、カバー１０３ａに覆われている。その反面、カバー１０３ａは、その張り出した分だけ大きくなっている。
【００３９】
一方、装着対象接続具１０１ｂは、接続部分４０１ｂをクリップ１０２ｂの内部へ誘導するため、そのクリップ１０２ｂ及びカバー１０３ｂが、接続部分４０１ｂの直径よりも大きく開かれる。ここで、上述したように、カバー１０３ｂは、クリップ１０２ｂよりも大きな幅で開かれる。そのため、開いた状態では、先端カバー部２１１ｂが、最も外側にくる。
【００４０】
以上から、先端カバー部２１１ｂを設けたために、先端カバー部２１１ｂが隣接接続具１０１ｂ、１０１ｃと干渉し、装着対象接続具１０１ｂを装着できなくなる場合も出てくるように考えられる。しかし、本実施形態に係る通水管接続具１０１は、このような場合にも、隣接接続具１０１ａ又は１０１ｃに衝突することなく、接続部分４０１ｂへ装着できる。
【００４１】
すなわち、隣接接続具１０１ａ又は１０１ｃの主要部２１０と、装着対象接続具１０１ｂの切欠部２１３とが利用される。装着対象接続具１０１ｂの先端カバー部２１１ｂは、一見して、隣接接続具１０１ａ又は１０１ｃの主要部２１０ａ又は２１０ｃに干渉するように見えるが、隣接接続具１０１ａ又は１０１ｃの主要部２１０ａ又は２１０ｃは、装着対象接続具１０１ｂの先端カバー部２１１ｂ間に設けられた切欠部２１３を通過する。これにより、先端カバー部２１１ｂと主要部２１０ａ又は２１０ｃとの干渉を避けることができ、装着対象接続具１０１ｂは、隣接接続具１０１ａと隣接接続具１０１ｃとの間をすり抜けて、接続部分４０１ｂに装着できるようになる。この点を、側面視した図を参照して、さらに説明する。
【００４２】
図６は、本実施形態に係る通水管接続具１０１を接続部分４０１に装着するときの様子を示した図である。符号６０１は、装着対象接続具１０１ｂと隣接接続具１０１ａとが接触する箇所である。同図（ｂ）は、同図（ａ）における接触箇所６０１を拡大した図である。
【００４３】
同図（ｂ）に示したように、装着対象接続具１０１ｂを装着する過程において、装着対象接続具１０１ｂの切欠部２１３と隣接接続具１０１ａの主要部２１０ａとが、噛み合うようになっている。つまり、装着対象接続具１０１ｂの先端カバー部２１１ｂと隣接接続具１０１ａの主要部２１０ａは、平面視すると重なるが、互いに干渉しないように構成されている。このような噛み合った状態のまま、装着対象接続具１０１ｂの先端カバー部２１１ｂは、隣接接続具１０１ａのガイド部２１２ａに沿って移動する。これにより、装着対象接続具１０１ｂは、隣接接続具１０１ａが邪魔にならずに、接続部分４０１ｂに装着できるようになる。
【００４４】
図７は、本実施形態に係る通水管接続具の第一の変形例１０１’の斜視図である。図２に示した通水管接続具１０１と実質的に同一の部分については、同一の符号を付与している。
【００４５】
この通水管接続具１０１’は、それぞれの腕カバー部２０５に、切欠部２１３を上下に二分するような板部７０１をさらに備える。例えば、図７に示すように、上下に設けられた先端カバー部２１１は、先端で結合されており、板部７０１は、その結合部分と主要部２１０とを橋渡すように設けられる。これにより、クリップ１０２の先端は、側面からも覆われることになり、通水管接続具１０１’は、図２に示した通水管接続具１０１よりも、より強固に外部の物体との接触から保護され、外れにくくなる。この通水管接続具１０１’では、板部７０１の上下に設けられた開口部２１３’が、図２に示した通水管接続具１０１の切欠部２１３と同様の機能を果たす。
【００４６】
また、板部７０１は、外側から圧力をかけると、内側へ撓むようになっている。これは、上述したように、開口部２１３’は、隣接接続具の主要部２１０との衝突を避けるために設けられているが、この開口部２１３’の機能を失わせないようにするためである。すなわち、板部７０１は、隣接接続具の主要部２１０に接触すると内側へ撓むので、主要部２１０が開口部２１３’を通過する際に、邪魔にならない。従って、この通水管接続具１０１’も、図２に示した通水管接続具１０１と同様の原理により、図５に示した状況下で、隣接接続具１０１ａと隣接接続具１０１ｃとの間をすり抜けて、接続部分４０１ｂに装着できるようになる。
【００４７】
図８は、本実施形態に係る通水管接続具（第一の変形例）１０１’により挟持される接続部分の断面図である。同図（ｂ）は、同図（ａ）の接触箇所８０１に着目した図であり、装着対象接続具１０１’ｂを接続部分４０１ｂへ装着する際に、装着対象接続具１０１’ｂが、隣接接続具１０１’ｃとの干渉を避ける様子を示している。図５と実質的に同一の部分については、同一の符号を付与している。
【００４８】
同図（ａ）に示すように、それぞれの通水管接続具１０１’において、カバー１０３の断面として、板部７０１が現れている。この点以外は、図５の場合と同様の構成となっているので、説明を省略する。
【００４９】
同図（ｂ）中央の図を見るとわかるように、装着対象接続具１０１’ｂの板部７０１は、隣接接続具１０１’ｃの主要部２１０ｃと接触して、内側へ撓んでいる。従って、装着対象接続具１０１’ｂを接続部分４０１ｂへ装着する際に、板部７０１が邪魔になることはない。
【００５０】
図９は、本実施形態に係る通水管接続具（第一の変形例）１０１’を接続部分に装着するときの様子を示した図である。図６と実質的に同一の部分については、同一の符号を付与している。
【００５１】
上述したように、装着対象接続具１０１’ｂの板部７０１ｂは、隣接接続具１０１’ａの主要部２１０ａと接触して、内側へ撓んでいる。従って、板部７０１が開口部２１３’の機能を失わせることはなく、この場合も、図６の場合と同様の原理により、装着対象接続具１０１’ｂは、隣接接続具１０１’ａと隣接接続具１０１’ｃとの間をすり抜けて、接続部分４０１ｂに装着できるようになる。
【００５２】
図１０は本実施形態に係る通水管接続具の第二の変形例１０１’’の斜視図である。図７に示した通水管接続具１０１’と実質的に同一の部分については、同一の符号を付与している。
【００５３】
この通水管接続具１０１’’は、両腕カバー部２０５に、開口部２１３’’の一部を覆う板部７０１’を備える。この板部７０１’は、通水管接続具１０１’の装着状態においてクリップ１０２の開放端２０３を側面から概ね覆う程度に、開口部２１３’’内に張り出していればよい。このように、開口部２１３’’内に張り出した板部７０１’の端部を自由端とすることにより、装着時に隣接接続具の主要部２１０と干渉したときに大きく撓むことが可能となる。したがって、より狭い間隔で隣接する給水管に対しても、側面から開放端２０３を覆いながら装着することが可能となる。また、剛性の大きい材料でカバー１０３を成形した場合にも、板部７０１’を十分撓ませることが可能になる。
【００５４】
さらに通水管接続具１０１’’は、そのカバー１０３の先端に、蓋３０１を備えている。蓋３０１は、ヒンジ部３０２で腕カバー部２０５に対し回動可能に構成されており、両腕カバー部２０５は、その先端の係合部２０７で係合した後、蓋３０１をヒンジ３０２を軸として回動させ、蓋係合部３０３で係合させることで、さらに強固に連結される。すなわち、係合方向の異なる二つの係合部により両腕カバー部２０５を連結することで、外部の物体と接触した際にもさらに外れにくくしたものである。
【００５５】
以上説明したような構造をもつことにより、通水管接続具は、外部の物体との接触によっても外れにくく、かつ、狭い場所でも装着可能となる。
【００５６】
上述した本発明の実施形態は、本発明の説明のための例示であり、本発明の範囲をそれらの実施形態にのみ限定する趣旨ではない。本発明は、その要旨を逸脱することなく、その他の様々な態様でも実施することができる。
【図面の簡単な説明】
【００５７】
【図１】本実施形態に係る通水管接続具及び通水管接続具により挟持される給水管と通水管との接続部分を示す斜視図である。
【図２】本実施形態に係る通水管接続具の斜視図である。
【図３】本実施形態に係る通水管接続具の平面図である。
【図４】本実施形態に係る通水管接続具のカバーに設けられた傾斜部を示す図である。
【図５】本実施形態に係る通水管接続具により挟持される接続部分の断面図である。
【図６】本実施形態に係る通水管接続具を接続部分に装着するときの様子を示した図である。
【図７】本実施形態に係る通水管接続具の第一の変形例の斜視図である。
【図８】本実施形態に係る通水管接続具（第一の変形例）により挟持される接続部分の断面図である。
【図９】本実施形態に係る通水管接続具（第一の変形例）を接続部分に装着するときの様子を示した図である。
【図１０】本実施形態に係る通水管接続具の第二の変形例の斜視図である。
【符号の説明】
【００５８】
１０１…通水管接続具、１０２…クリップ、１０３…カバー、１０４…ヘッダー、１０５…給水管、１０６…通水管、１０７…給水管フランジ、１０８…通水管フランジ、２０１…腕部、２０２…腕支持部、２０３…導入部、２０４…挟持部、２０５…腕カバー部、２０６…カバー支持部、２０７…係合部、２０８…傾斜部、２０９…カバーフレーム部、２１０…主要部（凸部）、２１１…先端カバー部（第一の遮蔽部）、２１２…ガイド部、２１３…切欠部（開口部）、４０１…接続部分、４０２…開き幅、６０１…接触箇所、７０１…板部（第二の遮蔽部）
【図１】
2008151254.tif 000003
【図２】
2008151254.tif 000004
【図３】
2008151254.tif 000005
【図４】
2008151254.tif 000006
【図５】
2008151254.tif 000007
【図６】
2008151254.tif 000008
【図７】
2008151254.tif 000009
【図８】
2008151254.tif 000010
【図９】
2008151254.tif 000011
【図１０】
2008151254.tif 000012